(57)【要約】  【課題】  主映像機器に接続される複数の副映像機器を１台のリモコンにより操作可能なリモコン装置を提供することを目的とする。  【解決手段】  主映像機器（ＴＶ１１）及びこの主映像機器に接続される副映像機器（ＶＴＲ１３，ＤＶＤ１４等）をリモコン操作可能なリモコン装置であって、リモコン送信部１２には、主映像機器に接続された副映像機器のいずれか１つを選択する入力選択ボタン１２ｈを有し、いずれかの副映像機器からの信号が選択されたとき、リモコン信号送信部の操作ボタンの操作に応答して選択された副映像機器を操作するに適したリモコン制御コード信号を生成し、ＩＲブラスタ１５等により副映像機器を操作するようにしたリモコン装置である。  【選択図】  図１
2005198115.tif 000002
【特許請求の範囲】
【請求項１】
主映像機器と、この主映像機器の複数の入力端子にそれぞれ接続される副映像機器とをリモコン操作可能なリモコン装置であって、
前記複数の入力端子に接続された副映像機器からの信号のち、いずれか１つの信号を選択するための入力選択ボタンを含む複数の操作ボタンを有し、その操作ボタンの操作により各種リモコン信号を送信するリモコン信号送信部と、
前記複数の入力端子にどの副映像機器を接続するかを選択し、その接続状態を設定登録する登録手段と、
前記入力選択ボタンの操作によっていずれかの副映像機器からの信号が選択されたとき、前記設定登録された接続状態に応じてリモコンの操作モードを切換えるモード変換手段と、
前記リモコン信号送信部の操作ボタンの操作に応答し、かつ前記操作モードに合わせて、前記選択された副映像機器を操作するに適したリモコン信号を生成するリモコン信号生成手段とを具備したことを特徴とするリモコン装置。
【請求項２】
主映像機器と、この主映像機器の複数の入力端子にそれぞれ接続される副映像機器とをリモコン操作可能なリモコン装置であって、
前記複数の入力端子に接続された副映像機器からの信号のち、いずれか１つの信号を選択するための入力選択ボタンを含む複数の操作ボタンを有し、その操作ボタンの操作により各種リモコン信号を送信するリモコン信号送信部と、
前記複数の入力端子にどの副映像機器を接続するかを選択し、その接続状態を設定登録する登録手段と、
前記入力選択ボタンの操作によっていずれかの副映像機器からの信号が選択されたとき、前記設定登録された接続状態に応じてリモコンの操作モードを切換えるモード変換手段と、
前記入力選択ボタンの操作によっていずれかの副映像機器からの信号が選択されたとき、前記主映像機器に前記選択された副映像機器からの信号が供給されるように切替える切替え手段と、
前記リモコン信号送信部の操作ボタンの操作に応答し、かつ前記操作モードに合わせて、前記選択された副映像機器を操作するに適したリモコン信号を生成するリモコン信号生成手段とを具備したことを特徴とするリモコン装置。
【請求項３】
前記リモコン送信部は、前記主映像機器と、この主映像機器に接続される副映像機器のリモコン制御コードに関するデータが予め記憶されている記憶手段を有することを特徴とする請求項１または２に記載のリモコン装置。
【請求項４】
前記リモコン送信手段は、前記主映像機器のリモコン制御コードに関するデータが記憶されていると共に、前記主映像機器の入力端子に接続される複数の副映像機器に対応したリモコン制御コードに関するデータを書込み可能な記憶手段を有することを特徴とする請求項１または２に記載のリモコン装置。
【請求項５】
前記リモコン信号送信部は、前記入力端子に接続される複数の副映像機器を制御するため、これら複数の副映像機器に共通の操作ボタン有することを特徴とする請求項１または２に記載のリモコン装置。
【請求項６】
前記選択された副映像機器を操作するためのリモコン信号生成手段は、ＩＲブラスターを含み、このＩＲブラスターにより副映像機器にリモコン信号を送信することを特徴とする請求項１または２記載のリモコン装置。
【請求項７】
前記主映像機器はテレビジョン受像機であり、前記副映像機器はこのテレビジョン受像機に接続される外部映像機器であることを特徴とする請求項１または２記載のリモコン装置。
【請求項８】
前記登録手段は、複数の入力端子に接続される副映像機器の種類及びメーカ名、機種名をメモリに登録可能にしたことを特徴とする請求項１または２記載のリモコン装置。
【請求項９】
主映像機器と、この主映像機器の複数の入力端子にそれぞれ接続される副映像機器とをリモコン操作可能なリモコン装置であって、
前記複数の入力端子に接続された副映像機器からの信号のち、いずれか１つの信号を選択するための入力選択ボタンを含む複数の操作ボタンを有し、その操作ボタンの操作により各種リモコン信号を送信するリモコン信号送信部と、
前記複数の入力端子にどの副映像機器を接続するかを選択し、その接続状態を設定登録する登録手段と、
前記入力選択ボタンの操作によっていずれかの副映像機器からの信号が選択されたとき、前記設定登録された接続状態に応じてリモコンの操作モードを切換えるモード変換手段と、
前記入力選択ボタンの操作によっていずれかの副映像機器からの信号が選択されたとき、前記主映像機器に前記選択された副映像機器からの信号が供給されるように切替える切替え手段と、
前記リモコン信号送信部の操作ボタンの操作に応答し、かつ前記操作モードに合わせて、前記選択された副映像機器を操作するに適したリモコン信号を生成するリモコン信号生成手段と、
前記リモコン信号生成手段からのリモコン信号を前記副映像機器に供給するためのＩＲブラスターとを具備したことを特徴とするリモコン装置。
【発明の詳細な説明】
【技術分野】
【０００１】
本発明は、テレビジョン受像機等の主映像機器と、その主映像機器に接続されたＶＴＲ等の副映像機器を１台のリモートコントローラにより操作することができる遠隔制御装置（以下リモコン装置と称する）に関する。
【背景技術】
【０００２】
従来からテレビ受像機、ビデオ機器、ＤＶＤ機器、及びＢＳチューナ等の映像機器は、それぞれの装置に設けられているリモートコントローラ（以下リモコン送信部と称す）を用いて遠隔制御されるようになっている。
【０００３】
これら映像機器としては、例えばテレビ受像機を主映像機器とし、ビデオ機器、ＤＶＤ機器、及びＢＳチューナ等を副映像機器とし、主映像機器に副映像機器が接続されて使用されている。即ち、テレビ受像機（以下ＴＶと称する）には複数の外部入力端子が設けられ、各外部入力端子には信号ケーブルを用いてそれぞれビデオ機器（以下ＶＴＲと称する）、ＤＶＤ機器（以下ＤＶＤと称する）、ＢＳチューナ等が接続されるようになっている。
【０００４】
例えばＴＶの外部入力端子１にＶＴＲが接続され、外部入力端子２にＤＶＤが接続されている場合を例に説明すると、ＶＴＲにより録画されたテレビ映像を再生する場合には、ＴＶ用リモコン送信部からリモコン信号を送信して、外部入力端子１に接続されたＶＴＲからの映像信号を選択するように切り換え、次いでＶＴＲ用リモコン送信部の操作によりＶＴＲを再生するようにしている。また、ＤＶＤ１４からの信号を再生する場合も同様に、先ずＴＶ用リモコン送信部の操作により、外部入力端子２に接続されたＤＶＤからの映像信号を選択するように切り換え、次いでＤＶＤ用リモコン送信部の操作によりＤＶＤを再生するようにしている。このように、従来の手法では、ＴＶを操作するＴＶ用リモコン送信部と、ＶＴＲやＤＶＤをそれぞれ操作するＶＴＲ用リモコン送信部と、ＤＶＤ用リモコン送信部が必要となり、その都度、リモコン送信部を使い分ける必要がある。
【０００５】
これら専用のリモコン送信部をそれぞれ個別に操作することは煩雑であることから、１台のリモコン送信部により複数の映像機器を操作できるリモコン装置も採用されている。即ち、複数の操作ボタンを可能な限り共通化させ、かつモード選択スイッチを設けてＴＶモード、ＶＴＲモード、ＤＶＤモードに切り替えて操作するものである。
【０００６】
例えば、ＶＴＲ及びＤＶＤの再生キーや早送りキーは共通のキーとし、モード選択スイッチの切り替えにより、ＶＴＲモードが選択された場合には、再生キーの操作によりＶＴＲが再生され、ＤＶＤモードが選択された場合には、再生キーの操作によりＤＶＤが再生されるようにしている。
【０００７】
しかしながら、このようなリモコン装置では、モード選択スイッチの操作を間違うと別の機器が動作するという不都合がある。例えば、ＶＴＲを操作しようとしてモード選択スイッチを切換えた際に、切換えミスによりＤＶＤモードを選択してしまうことがあり、ＶＴＲを再生しようとしてもＤＶＤが操作されるという、うっかりミスが発生することがある。
【０００８】
一方、このような操作の煩雑性を解消して、多様な機器のリモコン操作を可能とするリモコン装置が、例えば、特許文献１に提案されている。この特許文献１に提案されているリモコン装置は、ＴＶである主制御機器と、ＶＴＲ，ＤＶＤ，ＢＳチューナなどの制御対象機器をＩＥＥＥ１３９４ネットワークにより接続し、主制御機器及び制御対象機器に割り付け情報データベースと割付情報検索部を設け、主制御機器と制御対象機器毎にリモコンのキーに割り付けられるべき操作機能の情報を記憶し、リモコン側で指定した主制御機器または制御対象機器に応じて制御コマンドを変換することにより１台のリモコンにより複数の制御対象機器の操作を可能としている。
【特許文献１】特開２００１−１２８２６３号公報。
【発明の開示】
【発明が解決しようとする課題】
【０００９】
上記特許文献１に提案されているリモコン装置は、リモコン送信部に設けられている機器選択ボタンに、ＩＥＥＥ１３９４ネットワークにより主制御機器に接続されている制御対象機器が割付設定されており、この機器選択ボタンを操作すると割り付けられた制御対象機器の操作が行えるようになっている。つまり、機器選択ボタンに割り付けられた制御対象機器のリモコン制御コードが送信されるようになっている。
【００１０】
一方、このリモコン送信部には、主制御機器に入力される信号を切り換えるための入力切替ボタンが設けられている。すなわち、上記機器選択ボタンにより制御対象機器を選択すると共に、選択された制御対象機器からの信号が主制御機器に入力されるように、入力切替ボタンで選択するようになっている。このために入力切替ボタンによる入力信号源の選択と、機器選択ボタンによる制御対象機器の選択とを行う必要がある。
【００１１】
したがって、使用者が選択ボタンにより例えばＶＴＲを選択しても、入力切替ボタンの選択設定を忘れた場合、ＶＴＲのリモコン操作は可能となるが、ＴＶの入力切替ボタンが正しく切り換えられていないと、ＶＴＲからの映像が表示されないことになる。これにより、使用者は、ＴＶあるいはＶＴＲの故障と誤解をすることがある。
【００１２】
本発明は、このような事情に鑑みてなされたもので、主映像機器と、この主映像機器に接続される複数の副映像機器をリモコン操作可能であり、副映像機器を選択すると、その選択した副映像機器の操作が行えるリモコン装置を提供することを目的としている。
【課題を解決するための手段】
【００１３】
本発明は、主映像機器と、この主映像機器の複数の入力端子にそれぞれ接続される副映像機器とをリモコン操作可能なリモコン装置であって、
前記複数の入力端子に接続された副映像機器からの信号のち、いずれか１つの信号を選択するための入力選択ボタンを含む複数の操作ボタンを有し、その操作ボタンの操作により各種リモコン信号を送信するリモコン信号送信部と、前記複数の入力端子にどの副映像機器を接続するかを選択し、その接続状態を設定登録する登録手段と、前記入力選択ボタンの操作によっていずれかの副映像機器からの信号が選択されたとき、前記設定登録された接続状態に応じてリモコンの操作モードを切換えるモード変換手段と、前記リモコン信号送信部の操作ボタンの操作に応答し、かつ前記操作モードに合わせて、前記選択された副映像機器を操作するに適したリモコン信号を生成するリモコン信号生成手段とを具備したことを特徴とする。
【００１４】
又、本発明は、主映像機器と、この主映像機器の複数の入力端子にそれぞれ接続される副映像機器とをリモコン操作可能なリモコン装置であって、
前記複数の入力端子に接続された副映像機器からの信号のち、いずれか１つの信号を選択するための入力選択ボタンを含む複数の操作ボタンを有し、その操作ボタンの操作により各種リモコン信号を送信するリモコン信号送信部と、前記複数の入力端子にどの副映像機器を接続するかを選択し、その接続状態を設定登録する登録手段と、前記入力選択ボタンの操作によっていずれかの副映像機器からの信号が選択されたとき、前記設定登録された接続状態に応じてリモコンの操作モードを切換えるモード変換手段と、前記入力選択ボタンの操作によっていずれかの副映像機器からの信号が選択されたとき、前記主映像機器に前記選択された副映像機器からの信号が供給されるように切替える切替え手段と、前記リモコン信号送信部の操作ボタンの操作に応答し、かつ前記操作モードに合わせて、前記選択された副映像機器を操作するに適したリモコン信号を生成するリモコン信号生成手段とを具備したことを特徴とする。
【００１５】
さらに本発明のリモコン装置は、前記リモコン信号生成手段からのリモコン信号を、ＩＲブラスタを介して選択された副映像機器に送信することを特徴とする。
【発明の効果】
【００１６】
本発明のリモコン装置は、主映像機器の入力端子に接続された複数の副映像機器のいずれかを選択するだけで、その選択された副映像機器に対してそれに適したリモコン信号を送信することができ、リモコン装置の操作性を向上することができる。
【発明を実施するための最良の形態】
【００１７】
以下、図面を参照して本発明のリモコン装置の一実施形態について詳細に説明する。図１は本発明に係るリモコン装置の全体構成を示す図であり、図２はリモートコントローラ（リモコン送信部）の一例を示す外観図である。また図３はリモコン送信部のブロック図であり、図４は主映像機器に設けられたリモコン受信部のブロック図である。
【００１８】
先ず、図１を用いて全体構成について説明する。本発明は、主映像機器であるテレビジョン受像機１１（ＴＶ１１）、リモコン送信部１２、及び副映像機器であるＶＴＲ１３とＤＶＤ１４からなる。ＴＶ１１は、自身に備えられているチューナにより選局した放送チャンネルのテレビ信号を受信表示するほか、ＶＴＲ１３やＤＶＤ１４からの再生信号、あるいはＢＳ，ＣＳチューナ等からのテレビ信号を表示可能となっている。また映像信号のほかに音声信号の再生も可能になっている。
【００１９】
このため、ＴＶ１１には、ＶＴＲ１３、ＤＶＤ１４等からの信号を受信するための外部入力端子が複数設けられている。これら入力端子には、例えば、信号ケーブル１３ａによりＶＴＲ１３が接続され、信号ケーブル１４ａによりＤＶＤ１４が接続されている。また、ＴＶ１１とＶＴＲ１３、ＴＶ１１とＤＶＤ１４の間には、ＩＲブラスター１５が配置されている。このＩＲブラスター１５は、赤外線リモコン信号を受信及び送信するためのアダプタである。
【００２０】
また、リモコン送信部１２は、赤外線によるリモコン制御コード（リモコン信号）を送信し、ＴＶ１１の操作以外に、副映像機器としてのＶＴＲ１３とＤＶＤ１４等の操作を行うことができる。尚、副映像機器としては、ＶＴＲ１３、ＤＶＤ１４以外に、ＢＳ、ＣＳ等のチューナやＣＡＴＶ用のチューナを有するセットトップボックス等もあるが、本発明の実施形態の説明では、ＶＴＲ１３またはＤＶＤ１４を代表例として説明する。
【００２１】
次に、リモコン送信部１２の外観構成について、図２を用いて説明する。リモコン送信部１２は、表面に複数の操作ボタンが設けられている。これら操作ボタンは、電源をオン／オフさせる電源ボタン１２ａ、ＴＶ１１の画面に表示させる映像のサイズとチャンネル表示などを操作する画面表示ボタン１２ｂ、チャンネル選択用のチャンネルボタン１２ｃ、ＢＳチャンネル選択用のＢＳボタン１２ｄ、上下・左右のスクロールボタンと決定キーから成るカーソルボタン１２ｅ、チャンネルのアップダウンや音量のアップダウン調整等を行う各種ボタン１２ｆ、ＶＴＲ１３またはＤＶＤ１４の再生・停止等の操作に使用する副映像機器の操作ボタン１２ｇ、外部入力端子に供給された信号のいずれか１つを選択する入力選択ボタン１２ｈを有している。また、これら各種操作ボタンは、ＴＶ１１の操作用のボタンを主体とし、ＶＴＲ１３，ＤＶＤ１４の操作に要するボタンは可能な限り共有化し、例えば、共有化したボタンの周囲に機能表示を行っている。
【００２２】
このリモコン送信部１２の内部の概略構成について、図３を用いて説明する。尚、図２で説明した複数の操作ボタン１２ａ〜１２ｈを図３では操作ボタン部２１として示している。図３は、どの操作ボタンが操作されたかを検出する操作ボタン検出部２２と、この操作ボタン検出部２２が検出した操作ボタンに応じたリモコン制御コードを生成するマイクロコンピュータ（ＣＰＵ２３）と、各映像機器（ＴＶ１１、ＶＴＲ１３、ＤＶＤ１４等）のリモコン制御コードデータが記憶されているメモリ２４と、ＣＰＵ２３により生成されたリモコン制御コードを変調する変調部２５と、赤外線リモコン信号を送信するための発光素子２６と、操作ボタン検出部２２、ＣＰＵ２３、並びに変調部２５を駆動制御するためのタイミングパルスを生成するタイミングパルス部２７から構成されている。
【００２３】
なお、メモリ２４には、ＴＶ１１，ＶＴＲ１３，ＤＶＤ１４、及び各種副映像機器のリモコン制御コードデータが記憶されており、読み出し可能になっている。あるいは、このメモリ２４には、ＴＶ１１の主映像機器のリモコン制御コードデータを記憶しておき、ＶＴＲ１３，ＤＶＤ１４等の副映像機器のリモコン制御コードデータは、後で書込可能とすることもできる。またメモリ２４としては、副映像機器のリモコン制御コードデータを内蔵したＩＣメモリカード、またＩＣメモリチップを装着することもできる。
【００２４】
前記リモコン送信部１２は、操作ボタン部２１のいずれかの操作ボタンが押されると、タイミングパルス部２７からのタイミング制御のもとに操作ボタン検出部２２により検出され、その検出した操作ボタン情報がＣＰＵ２３に転送される。ＣＰＵ２３は、操作ボタン検出部２２から転送された操作ボタン情報とメモリ２４に記憶されているリモコン制御コードデータから各操作ボタンに割り付けられているリモコン制御コードを生成して変調部２５へと出力する。変調部２５は、ＣＰＵ２３からのリモコン制御コードを変調してリモコン制御コード信号を生成し、発光素子２６から赤外線リモコン信号を送信する。
【００２５】
次に、ＴＶ１１に内蔵されているリモコン受信部３１の構成について、図４を用いて説明する。このリモコン受信部３１は、リモコン送信部１２から送信されたリモコン信号を受信し、そのリモコン制御コードを解読復調するものであり、リモコン送信部１２からのリモコン信号を受信する受光素子３２と、この受光素子３２からのリモコン信号を増幅する増幅部３３と、この増幅部３３により増幅されたリモコン信号を波形整形する波形整形部３４と、この波形整形部３４により波形整形されたリモコン信号を解読復調するマイクロコンピュータからなるＣＰＵ３５を有している。また、ＣＰＵ３５によって解読復調されたリモコン制御コードを基に、ＴＶ１１に設けられている複数の外部入力信号端子に供給された信号のいずれかを選択する入力端子切替部３６と、リモコン制御コードのうち、ＶＴＲ１３またはＤＶＤ１４を操作するリモコン制御コマンドに変換してＶＴＲ１３またはＤＶＤ１４に送信するＩＲブラスター３７を有している。
【００２６】
リモコン受信部３１は、受光素子３２で受光したリモコン信号をもとに動作し、ＣＰＵ３５では、ＴＶ１１，ＶＴＲ１３，ＤＶＤ１４用のリモコン制御コマンドを生成する。例えばリモコン制御コマンドがＴＶ１１を操作するコマンドの場合は、ＴＶ１１の各操作を行い、ＶＴＲ１３またはＤＶＤ１４を操作するコマンドの場合は、入力端子切替部３６を切り替えると共に、ＩＲブラスター部３７を介してＶＴＲ１３またはＤＶＤ１４へリモコン制御コマンドの赤外線信号を生成して、ＶＴＲ１３またはＤＶＤ１４それぞれに設けられているリモコン受光部に送信する。
【００２７】
このような本発明のリモコン装置において、リモコン送信部１２には、ＴＶ１１の外部入力端子に接続されたいずれかの副映像機器からの映像信号を選択するため、入力選択ボタン１２ｈが設けられている。この入力端子選択ボタン１２ｈのビデオ１を押下すると、リモコン送信部１２からはビデオ１に相当する入力端子に接続された、例えば、ＶＴＲ１３からの信号を選択するリモコン信号を送信し、ビデオ２を押下するとビデオ２に相当する入力端子に接続された、例えば、ＤＶＤ１４からの信号を選択するリモコン信号を送信する。
【００２８】
すなわち、入力端子選択ボタン１２ｈの押下により、リモコン受信部３１は、入力端子切り替え信号であることを認識し、入力端子切替部３６を制御して指定された入力端子の信号を選択するように切り替える。さらに、ＩＲブラスタ３７からは選択された入力端子に接続されているＶＴＲ１３またはＤＶＤ１４を操作するためのリモコンコードが出力され、リモコン送信部１２によりＶＴＲ１３またはＤＶＤ１４のリモコン操作が行えるようになっている。
【００２９】
次に、リモコン送信部１２の入力端子選択ボタン１２ｈを操作することにより、ＴＶ１１の外部入力端子に接続されているＶＴＲ１３またはＤＶＤ１４を操作可能にするためのＣＰＵ２３の作用について、図５のフローチャートを用いて説明する。
【００３０】
図５は、ユーザによる初期設定のモードを示しており、ＴＶ１１の外部入力端子に接続された副映像機器が何であるかを設定するためのフローを示している。例えば、外部入力端子（ビデオ１）にＶＴＲ１３を接続した場合について説明する。図５（ａ）のステップＳ１において、リモコン送信部１２のモード選択ボタン１２ｆのメニューボタンを押下すると、初期設定用のメニュー画面を表示させるリモコン信号がＴＶ１１に送信され、初期設定画面が表示される。この初期設定画面の中からカーソルボタン１２ｅを用いて、外部入力端子に接続された副映像機器を設定するためのメニュー画面を表示させる。
【００３１】
ステップＳ２では、画面上に入力モードと選択肢を表示させ、図５（ｂ）に示すように、第１の入力端子（ビデオ１）に接続された副映像機器を設定するためのメニュー画面を表示させる。このメニュー画面は、「ビデオ１に何が接続されますか」との問いに対して、例えば、１ＶＴＲ，２ＤＶＤ、３ゲーム、４デジタルチューナ、５その他等の中から選択できるようにさせる。
【００３２】
次にステップＳ３では、ビデオ１に接続される機器をユーザが選択するモードに移行し、ユーザは、カーソルボタン１２ｅを用いて例えば１ＶＴＲを選択する。このステップＳ３において、１ＶＴＲが選択されると、ステップＳ４においては、選択した副映像機器にあった接続機種を表示する。この場合、画面には、図５（ｃ）に示すように、「どのメーカのＶＴＲを接続しますか」との問いが表示され、複数のメーカ名が表示され、ユーザはカーソルボタン１２ｅを用いてＶＴＲのメーカ名を選択することができる。この選択により、画面には図５（ｄ）で示すように、機種選択メニュー画面が表示される。この機種選択メニュー画面では、「選択したメーカのどの機種のＶＴＲを接続しますか」との問いが表示されて機種名が列挙され、ユーザはカーソルボタン１２ｅを用いて機種名を選択できるようになる。
【００３３】
こうして、ステップＳ５においてメーカと機種が選択されと、ステップＳ６では、ビデオ１に接続した副映像機器がＶＴＲであること、及びそのＶＴＲのメーカ名、機種名のデータがリモコン送信部１２のメモリ２４に登録される。
【００３４】
以降、同様にしてＴＶ１１の第２、第３の外部入力端子（ビデオ２，ビデオ３）に接続された副映像機器の設定登録を行う。
【００３５】
このようにして、ＴＶ１１の外部入力端子に接続された副映像機器の初期設定が行われると、以降は、リモコン送信部１２の入力選択ボタン１２ｈのいずれかを選択操作することにより、自動的に副映像機器の選択が行われ、リモコン送信部１２によって選択された機器を制御することができるようになる。
【００３６】
例えば、リモコン送信部１２のビデオ１のボタンを選択操作すると、ＴＶ１１は第１の外部入力端子に接続されているＶＴＲ１３からの信号を選択するように切り替わり、リモコン送信部１２は、ＶＴＲ１３のリモコン制御モードに設定され、操作ボタン２１をＶＴＲ１３のリモコン操作用に割り付け、ＶＴＲ１３のリモコン制御コードが送信されてＶＴＲ１３の操作が可能となる。
【００３７】
なお、ＴＶ１１の外部入力端子に接続された副映像機器について、機器名、メーカ名、機種を入力設定するのは、映像機器、メーカ、機種によってリモコン制御コードが異なるためであり、接続された副映像機器に適合したリモコン制御コードをメモリ２４から読み出すためである。なお、前記リモコン送信部１２のメモリ２４に副映像機器に適合するリモコン制御コードのデータが記憶されていない場合は、学習機能等を利用してメモリ２４に新たに該当するリモコン制御コードを書き込むようにすることもできる。また、このメモリ２４に変えて、各副映像機器のリモコン制御コードが記憶されているＩＣカードメモリやメモリ素子チップ等を用いるようにしても良い。
【００３８】
次に、リモコン受信部３１の作用について図６のフローチャートを用いて説明する。リモコン送信部１２からのリモコン信号は、ステップＳ１１において受光素子３２により受光され、増幅部３３において増幅され、さらに波形整形部３４において波形整形された後、ＣＰＵ３５に供給される。
【００３９】
ステップＳ１２においては、リモコン制御コードを基に現在の入力モードが確認され、現在のモード（例えばＴＶモードか、ＶＴＲモードか等）が判別される。次にＣＰＵ３５は、ステップＳ１３において、制御対象である副映像機器の確認を行う。このステップＳ１３においてリモコン送信部１２の制御対象である副映像機器が確認されると、ステップＳ１４では、リモコン送信部１２から送信されたリモコン制御コードを副映像機器を操作するに適したリモコン制御コマンドに変換する。つまり、リモコン送信部１２から送信されたリモコン制御コードが主映像機器であるＴＶ１１を操作する制御コードである場合は、入力端子切替部３６による切り替え操作は行わず、ＴＶ１１自体のリモコン操作が実行される。また、入力選択ボタン１２ｈによりビデオ１を選択した場合は、入力端子切替部３６によりＶＴＲ１３からの信号を選択するように切り替え、ＶＴＲ１３のリモコン制御コマンドに変換する。
【００４０】
このステップＳ１４において、ＶＴＲ１３のリモコン制御コマンドに変換されると、ステップＳ１５では、ＩＲブラスター３７を駆動させて、ＶＴＲ１３のリモコン制御コマンドをＶＴＲ１３のリモコン受信部へと送信し、ＩＲブラスタ３７を経由してＶＴＲ１３の操作が実行され、ステップ１６において機器の制御が完了する。
【００４１】
なお、図４の例では、リモコン受信部３１にＩＲブラスター３７を設ける例を説明したが、副映像機器がリモコン送信部１２からのリモコン制御コードを直接受信解読可能な場合は、ＩＲブラスター３７を用いる必要はない。また、ＩＲブラスター３７に変えて、ＩＥＥＥ１３９４ネットワークとすることもできる。
【００４２】
以上説明したように、本発明では、主映像機器であるＴＶ１１の入力信号端子に副映像機器であるＶＴＲ１３，ＤＶＤ１４等の機器を接続した際に、１台のリモコン送信部１２により副映像機器をリモコン制御することができる。
【図面の簡単な説明】
【００４３】
【図１】本発明に係るリモコン装置の一実施形態の全体構成を示すブロック図。
【図２】本発明のリモコン装置に用いるリモコン送信部の外観構成を説明する説明図。
【図３】本発明のリモコン装置に用いるリモコン送信部の内部構成を示すブロック図。
【図４】本発明のリモコン装置に用いるリモコン受信部の内部構成を示すブロック図。
【図５】本発明に係るリモコン送信部の初期設定作用を説明するフローチャート。
【図６】本発明に係るリモコン受信部のリモコン操作の作用を説明するフローチャート。
【符号の説明】
【００４４】
１１    ＴＶ受像機
１２    リモコン送信部
１３    ＶＴＲ
１４    ＤＶＤ
１５    ＩＲブラスター
代理人  弁理士  伊藤  進
【図１】
2005198115.tif 000003
【図２】
2005198115.tif 000004
【図３】
2005198115.tif 000005
【図４】
2005198115.tif 000006
【図５】
2005198115.tif 000007
【図６】
2005198115.tif 000008